(57)【要約】携帯デバイス（１０）の非音楽アプリケーションに音楽を組み込むシステム及び方法が提供される。音楽ファイル（２０）のメタデータ（２４）は特定の探索基準に従って探索されてもよい。メタデータ探索は非音楽アプリケーション（６５）に組み込むのに適切な合致する音楽を識別する。メタデータ探索が携帯デバイス（１０）がメモリ（４５、４５ａ）に適切な合致する音楽ファイル（２０）を格納していないことを示すなら、その場合ユーザは音楽ファイル（２０）を格納するネットワークサーバ（７５）を対象としてもよい。ユーザはその場合メタデータ（２４）が探索基準と合致する音楽ファイル（２０）をダウンロードしてもよく又はストリーム配信してもよい。一実施形態において、非音楽アプリケーションはビデオゲーム（６５）であり、且つそのゲームプログラムは音楽メタデータ（２４）を探索して音楽スタイルがゲーム再生スタイルと合致する一つ以上の音楽ファイル（２０）を見つけ出す。【選択図】図４
2010537229.tif 000002
【特許請求の範囲】
【請求項１】
電子デバイス（１０）で使用する音楽を選択するシステムであって、
前記電子デバイス（１０）内にメディアプレーヤ（６３）と、
多数の音楽ファイル（２０）を格納する記憶デバイス（４５、４５ａ、７６）と、
前記電子デバイス（１０）によってアプリケーション（６５）を実行するコントローラ（４１、４２、７９）と、を備え、
前記音楽ファイルのそれぞれは当該音楽ファイルと関連付けられたメタデータを有し、
前記コントローラは前記アプリケーション（６５）の実行の間、音楽を選択して再生するための探索基準と合致するメタデータを求めて前記音楽ファイル（２０）の前記メタデータ（２４）を探索するように構成され、
前記コントローラ（４１、４２、７９）は、前記アプリケーション（６５）の実行中に、前記関連付けられたメタデータ（２４）が前記探索基準と合致する少なくとも一つの音楽ファイル（２０）を前記メディアプレーヤ（６３）に再生させるようにさらに構成されることを特徴とするシステム。
【請求項２】
前記記憶デバイス（４５、４５ａ）は前記電子デバイス（１０）内に配置されるメモリであることを特徴とする請求項１に記載のシステム。
【請求項３】
前記コントローラ（４１、４２）が前記電子デバイス（１０）内にあることを特徴とする請求項１又は２に記載のシステム。
【請求項４】
前記デバイスアプリケーション（６５）がビデオゲーム（６５）であることを特徴とする請求項１乃至３の何れか１項に記載のシステム。
【請求項５】
前記電子デバイス（１０）が携帯電話であることを特徴とする請求項１乃至４の何れか１項に記載のシステム。
【請求項６】
電子デバイス（１０）のアプリケーション（６５）で音楽を使用する方法であって、
音楽ファイル（２０）のそれぞれが当該音楽ファイルと関連付けられたメタデータ（２４）を有する、多数の音楽ファイル（２０）を記憶デバイス（４５、４５ａ、７６）に格納する工程と、
前記アプリケーション（６５）の実行中に前記音楽メタデータ（２４）を探索して再生する音楽を選択する探索基準を設定する工程と、
前記関連付けられたメタデータが前記探索基準と合致する少なくとも一つの音楽ファイルを選択するために、前記多数の音楽ファイル（２０）の前記音楽メタデータ（２４）を探索する工程と、
前記アプリケーション（６５）を実行する工程と、を有し、
前記アプリケーションが実行される間、前記関連付けられたメタデータ（２４）が前記探索基準と合致する音楽ファイル（２０）が再生されることを特徴とする方法。
【請求項７】
前記格納する工程は第１の多数の音楽ファイル（２０）を前記電子デバイス内に配置される第１の記憶デバイス（４５、４５ａ）に格納する工程を含み、
前記探索する工程は前記第１の多数の音楽ファイル（２０）の前記音楽メタデータ（２４）を探索して、前記関連付けられたメタデータ（２４）が前記探索基準と合致する少なくとも一つの音楽ファイル（２０）を選択する工程を含むことを特徴とする請求項６に記載の方法。
【請求項８】
前記格納する工程は第２の多数の音楽ファイル（２０）を前記電子デバイス（１０）の外部に配置される第２の記憶デバイス（７６）に格納する工程を含み、
前記探索する工程は、合致する音楽ファイルが前記第１の記憶デバイス（４５、４５ａ）から選択されない場合に、前記第２の記憶デバイス（７６）上の前記第２の多数の音楽ファイル（２０）を探索して、前記関連付けられたメタデータ（２４）が前記探索基準と合致する少なくとも一つの音楽ファイル（２０）を選択する工程を含むことを特徴とする請求項７に記載の方法。
【請求項９】
前記少なくとも一つの合致する音楽ファイル（２０）を前記第２の記憶デバイス（７６）から前記電子デバイス（１０）にダウンロードする工程をさらに有することを特徴とする請求項８に記載の方法。
【請求項１０】
前記音楽メタデータ（２４）を探索する前記探索基準が歌のタイトル、アーティスト、拍／分、ジャンル、又はムードの少なくとも一つを含むことを特徴とする請求項６乃至９の何れか１項に記載の方法。
【発明の詳細な説明】
【技術分野】
【０００１】
本開示の技術は一般に携帯電子デバイスに関し、特に音楽メタデータを使用して音楽を非音楽アプリケーションに組み込む携帯電子デバイスに関する。
【背景技術】
【０００２】
携帯電子デバイスは一般に音楽を再生する機能を有する。ユーザは他のデバイス機能と独立して音楽を聴いてもよいが、ユーザが音楽を他の、非音楽アプリケーションに組み込むことができたらしばしばデバイスはより楽しいものとなるだろう。現在は音楽を非音楽アプリケーションに組み込んでユーザがカスタマイズするのを許可する方法は不便であるように見える。
【０００３】
携帯電話、メディアプレーヤ、携帯情報端末（ＰＤＡ）、及び他のもの等の、携帯デバイスはますます人気を増している。多くのデバイスを持ち運ばなければならないことを避けるために、今や携帯電子デバイスは広範な機能を提供するように構成されている。例えば、携帯電話はもはや単純に着呼および発呼のために使用されないかもしれない。携帯電話はカメラ、ニュースや情報にアクセスするインターネットブラウザ、視聴覚メディアプレーヤ、メッセージデバイス（テキスト、オーディオ、及び／又は視覚メッセージ）、ゲームデバイス、自己管理手帳、であってもよく、及び他の機能を有してもよい。
【０００４】
音楽プレーヤ機能に関して、ユーザはインターネット又は他の通信ネットワークを介して音楽ファイルをダウンロードしてもよく、且つデバイス内のメモリにダウンロード可能なファイルを格納してもよい。音楽ファイルは記録されたソースから、又はライブ放送又はライブ映像から、デバイスにストリーム配信されてもよい。
【０００５】
音楽ファイルがどのように電子デバイスに受信されるかに関わらず、音楽ファイルは一般に関連付けられた「メタデータ」情報を含む。一般に、メタデータは他のデジタルデータ又はファイルについての情報を提供するデジタルデータとして考えられてもよい。例えば、デジタルカメラで写真を撮る際に、写真ファイルに関連付けられたメタデータはその写真が取られた日付及び時間、ファイルサイズ、（タイトル、ファイル名、又は数字等の）識別子、及び／又はその写真についての他の項目情報のような情報を含んでもよい。文書ファイル、ビデオファイル、電子メール、及び類似の他の種類のファイルは関連付けられたファイルについての様々な情報を提供するメタデータを含んでもよい。メタデータはファイル内のＸＭＬ記述フィールド内に含まれてもよい。
【０００６】
他のデジタルデータファイルのように、デジタル音楽ファイルは一般に音楽ファイルについてのメタデータ情報を含んでもよい。例えば、メタデータは歌の名称、ジャンル、アーティスト、拍／分、長さ、共通楽器、及びその音楽の特徴を説明する他の項目の情報を含んでもよい。デジタル音楽はネットワークを介して、又はデジタル放送によって伝達される際に、ある項目のメタデータは一般にタイトル、アーティスト、及び拍／分等の、音楽ファイルに含まれる。メタデータを所有する場合、そのメタデータは実質的な音楽又は歌を探索する基準として使用されてもよい。例えば、公的にアクセス可能なコンパクト・ディスク・データベース（CDDB）又はグレース・ノート（GraceNotes）は関連付けられた実質的な音楽ファイルにメタデータを適合させるために使用されてもよい。ユーザがメタデータを定義又はカスタマイズするのを許可するアプリケーション又はプログラムも存在する。例えば、パーティ音楽、リラックス音楽、旅行音楽、又は他のもの等の、個人的分類に歌をカスタマイズ又は整理するためにユーザは一つ以上の音楽ファイルと関連付けられたカテゴリ又は「ムード」を説明するメタデータ領域を追加することを望んでもよい。
【０００７】
音楽は携帯電子デバイスの様々な機能又はアプリケーションに含まれてもよい。例えば、音楽は一般にビデオゲームに組み込まれる。ゲームデバイスとしての携帯電子デバイスの使用は近年劇的に増加している。主にゲームのために開発されている携帯電子デバイスもあるが、今やゲームは多機能携帯電子デバイスの中の一機能としてしばしば組み込まれている。例えば、携帯電話はしばしばビデオゲームを再生するために使用されてもよい。ゲームは携帯電話にダウンロードされ、且つメモリに格納されてもよく又は通信ネットワーク又はインターネットを介して再生されてもよい。
【０００８】
音楽をビデオゲームに組み込むことは一般的であるが、ゲームが主に意図されていない携帯電話のように、特にゲームが携帯電子デバイス用に開発され且つ携帯電子デバイス上で再生される場合、音楽の音質は不十分かもしれない。携帯電話のゲーム機能は許容ファイルサイズ及び処理能力のようなもの等によって制限されるかもしれないので、携帯電話ゲームの音楽はしばしば低質な形式で創り出される。例えば、音楽は低質なミディ（Music Instrument Digital Interface：MIDI）形式で伝達されてもよい。携帯電話ゲームの音楽の質は、それ故、一般に単純にダウンロードされた又はストリーム配信された歌を聴く場合の質よりもはるかに劣る。
【０００９】
携帯電話ゲームの音楽の別の不十分な側面は、音楽がユーザによって一般にカスタマイズ可能でないことである。むしろ、音楽は不変な形式でゲーム開発者によって組み込まれるかもしれない。
【発明の概要】
【００１０】
電子デバイスの消費者の経験を改良するために、音楽を他の、非音楽デバイスアプリケーションに組み込む改良されたシステム及び方法の技術的な必要性がある本発明の例示的な実施形態において、電子デバイス上で音楽ファイルのメタデータは特定の探索基準に従って探索される。メタデータ探索は使用中に再生する、又は非音楽アプリケーションに組み込むのに適切な合致する音楽を識別する。携帯デバイスが適切な合致する音楽ファイルをメモリに格納していないことをメタデータ検索が示す場合、ユーザは音楽ファイルを格納するサーバ又は通信ネットワーク上の他の記憶場所を対象としてもよい。その場合ユーザはメタデータがネットワークからの探索基準に合致する音楽ファイルをダウンロード又はストリーム配信してもよい。例示的な一実施形態において、非音楽アプリケーションはビデオゲームであり、且つゲームプログラムは音楽メタデータを探索して音楽スタイルがゲーム再生スタイルに合致する一つ以上の音楽ファイルを見つけ出す。
【００１１】
それ故、本発明の一側面によれば、電子デバイスでの使用のために音楽を選択するシステムはその電子デバイス内にメディアプレーヤ、各音楽ファイルが関連付けられたメタデータを有する多数の音楽ファイルを格納する記憶デバイス、及びその電子デバイスによってアプリケーションを実行するコントローラを含み、前記コントローラは音楽ファイルのメタデータを探って、アプリケーションの実行中に音楽を選択して再生する探索基準に合致するメタデータを探索するように構成され、前記コントローラはアプリケーションの実行中に前記関連付けられたメタデータが前記探索基準に合致する少なくとも一つの音楽ファイルをメディアプレーヤに再生させるようにさらに構成される。
【００１２】
本システムの一実施形態によれば、前記記憶デバイスは前記電子デバイス内に配置されるメモリである。
【００１３】
本システムの一実施形態によれば、前記記憶デバイスは前記電子デバイス外のサーバである。
【００１４】
本システムの一実施形態によれば、前記コントローラは前記電子デバイス内にある。
【００１５】
本システムの一実施形態によれば、前記コントローラは前記電子デバイス外のサーバ内にある。
【００１６】
本システムの一実施形態によれば、前記デバイスのアプリケーションはビデオゲームである。
【００１７】
本システムの一実施形態によれば、音楽メタデータを探索する前記探索基準は、歌のタイトル、アーティスト、拍／分、ジャンル、又はムードの少なくとも一つを含む。
【００１８】
本システムの一実施形態によれば、前記電子デバイスは携帯電話である。
【００１９】
本発明の別の側面は、各音楽ファイルが関連するメタデータを有する多数の音楽ファイルを記憶デバイスに格納する工程と、音楽メタデータを探索してアプリケーションの実行中に再生する音楽を選択する探索基準を設定する工程と、前記多数の音楽ファイルの前記音楽メタデータを探索して関連するメタデータが前記探索基準に合致する少なくとも一つの音楽ファイルを選択する工程と、前記アプリケーションを実行する工程と、を含む電子デバイスのアプリケーションで音楽を使用する方法であり、関連するメタデータが前記探索基準に合致する音楽ファイルが前記アプリケーションの実行中に再生される。
【００２０】
本方法の一実施形態によれば、前記格納する工程は、前記電子デバイス内に配置される第１の記憶デバイスに第１の多数の音楽ファイルを格納する工程を含み、且つ前記探索する工程は、前記第１の多数の音楽ファイルの前記音楽メタデータを探索して前記関連するメタデータが前記探索基準に合致する少なくとも一つの音楽ファイルを選択する工程を含む。
【００２１】
本方法の一実施形態によれば、前記格納する工程は、前記電子デバイス外に配置される第２の記憶デバイスに第２の多数の音楽ファイルを格納する工程を含み、且つ前記探索する工程は、前記第１の記憶デバイスから合致する音楽ファイルが選択されない場合に、前記第２の記憶デバイス上の前記第２の多数のファイルを探索して前記関連付けられたメタデータが前記探索基準と合致する少なくとも一つの音楽ファイルを選択する工程を含む。
【００２２】
本方法の一実施形態によれば、前記方法は前記第２の記憶デバイスから前記電子デバイスに前記少なくとも一つの合致する音楽ファイルをダウンロードする工程をさらに含む。
【００２３】
本方法の一実施形態によれば、前記方法は前記第２の記憶デバイスから前記電子デバイスに前記少なくとも一つの合致する音楽ファイルをストリーミング配信する工程をさらに含む。
【００２４】
本方法の一実施形態によれば、前記アプリケーションは多数の構成要素を含み、前記方法は前記多数の構成要素のそれぞれに関して実行される。
【００２５】
本方法の一実施形態によれば、前記音楽メタデータを探索する前記探索基準は歌のタイトル、拍／分、ジャンル、又はムードの少なくとも一つを含む。
【００２６】
本方法の一実施形態によれば、前記アプリケーションはビデオゲームである。
【００２７】
本方法の一実施形態によれば、前記電子デバイスは携帯電話である。
【００２８】
本発明のこれらの特徴及び更なる特徴は以下の説明および添付の図面を参照して明らかになるだろう。説明及び図面において、本発明の原則が実行されるいくつかの方法を示すように本発明の特定の実施形態が詳細に開示されているが、本発明はこれと一致する範囲に限定されないことが理解される。むしろ、本発明はここに添付された請求項の精神及び用語の範囲から生じるあらゆる変形、変更、及び均等物を含む。
【００２９】
一実施形態に関して説明及び／又は図解される特徴は、一つ以上の他の実施形態において同一の方法で又は類似の方法で、及び／又は他の実施形態の特徴を組み合わせて又はその代わりに使用されてもよい。
【００３０】
「備える」及び「備えている」という用語は、本明細書で使用される際、述べられた特徴、整数、工程、又は構成要素の存在を明確にするために用いられるが、一つ以上の他の特徴、整数、工程、構成要素又はこれらの集合の存在又は追加を除外しないことが強調されるべきである。
【図面の簡単な説明】
【００３１】
【図１】図１は本発明の実施形態に従った使用のための例示的な電子デバイスとしての携帯電話の概略図である。
【図２】図２は図１の携帯電話の動作部の概略ブロック図である。
【図３】図３は一般的な音楽ファイルの一部を表す概略図である。
【図４】図４は本発明の実施形態に従って使用されてもよい例示的な方法を描写するフローチャートである。
【図５】図５は本発明の実施形態に従って使用されてもよい例示的なゲームアプリケーションの概略図である。
【図６】図６は本発明の実施形態に従って音楽をゲームアプリケーションに組み込む例示的なシステムの概略図である。
【図７】図７は図１の携帯電話が動作してもよい通信システムの概略図である。
【図８】図８は本発明の実施形態に従って使用されてもよい例示的な音楽選択サーバの概略図である。
【図９】図９は本発明の実施形態に従って使用されてもよい別の例示的な方法を描写するフローチャートである。
【発明を実施するための形態】
【００３２】
本発明は電子デバイスの非音楽アプリケーションでの使用のために音楽をカスタマイズするシステム及び方法をユーザに提供する。例示的な実施形態において、ビデオゲームのゲームプレイの特定のスタイルと音楽とを合致させることによって音楽はビデオゲームアプリケーションの不可欠な部分として組み込まれてもよい。ビデオゲームアプリケーションと共に使用するために音楽をカスタマイズすることをユーザに許可することによって、ユーザはより一層ゲームの楽しみを獲得するかもしれない。
【００３３】
本発明の実施形態は非音楽アプリケーションに組み込むための音楽と合致させるためにメタデータを音楽ファイルに使用するシステム及び方法を提供する。携帯電子デバイス、通信ネットワーク上のサーバ、又は非音楽アプリケーションそれ自体は携帯電子デバイス内のメモリ又は電子デバイス外のネットワークサーバのどちらかに格納される音楽ファイルのメタデータを探索するためのアプリケーション又はプログラム特徴を含んでもよい。探索のパラメータは歌のタイトル、アーティスト、拍／分、又は他のもの等のＸＭＬメタデータ領域によって定義されてもよい。例示的な一実施形態において、非音楽アプリケーションはビデオゲームであってもよく、且つ音楽スタイルがゲームプレイのスタイルと合致する音楽を識別するためにそのビデオゲームは音楽ファイルのメタデータを探索する。
【００３４】
一実施形態において、携帯デバイスが探索基準に合致する音楽ファイルを内部メモリに含まないことをメタデータ探索が明らかにするなら、その場合ユーザは携帯デバイスの外部の音楽サービスを介して合致する音楽を提供されてもよい。例えば、ユーザは音楽ダウンロード、ストリーミング・オーディオ、又は、ライブ放送又はライブ映像を提供するインターネット又は他の通信ネットワーク上のサーバに接続されてもよい。ユーザはその場合メタデータ探索の基準と合致する音楽を選択してもよい。
【００３５】
このようにして、音楽は非音楽アプリケーションに組み込まれてもよい。音楽ファイルはこれへの組み込みの前に非音楽アプリケーションとは独立して創り出されるので、音楽ファイルは初期にアプリケーションの一部としてプログラムされる場合よりも高質である傾向があろう。さらに、設定された探索基準に基づいてユーザによって選択されてもよいので、音楽は、非音楽アプリケーションをより一層楽しくもする、ユーザの嗜好に合わせてカスタマイズされてもよい。
【００３６】
本発明の実施形態は図面を参照して説明されるだろう、同種の参照番号は全体に渡って同種の要素を参照するために使用される。図は必ずしも縮尺通りではないことが理解されるだろう。
【００３７】
以下の説明は従来の携帯電話に即してなされる。本発明は携帯電話に限定されることは意図されておらず且つメディアプレーヤ、ゲームデバイス、又はデスクトップ又はラップトップ型コンピュータ等の、どのような種類の適切な電子デバイスに関してもよいことが理解されるだろう。ここでの説明のために、交換可能な用語「電子装置」及び「電子デバイス」は携帯無線通信装置を含んでもよい。以下「携帯無線端末」とも称される用語「携帯無線通信装置」は携帯電話、ポケットベル、通信機、電子オーガナイザ、携帯情報端末（ＰＤＡ）、スマートフォン、及びあらゆる通信装置又は同様のもの等の全ての装置を含む。
【００３８】
図１は例示的な携帯電話１０を描写する。携帯電話１０は開位置と閉位置との間で移動可能なひっくり返して開くカバー１５を有する折り畳み式電話であってもよい。図１では、カバーは開位置で示されている。携帯電話１０はブロック型（block）又はブリック型（brick）の構成等の他の構成を有してもよいことが理解されるだろう。
【００３９】
図２携帯電話１０の機能ブロック図を表す。携帯電話１０は本発明の特徴を実行するメタデータ探索アプリケーション４３を含んでもよい。アプリケーション４３は携帯電話１０に常駐し且つ携帯電話１０によって実行される実行可能なプログラムコードとして具体化されてもよい。携帯電話１０はコンピュータ又は機械読み取り可能な媒体に格納されるプログラムコードを実行するコントローラを含んでもよい。コントローラは制御回路４１及び／又は処理デバイス４２を含んでもよい。プログラムは独立型のソフトウェア・アプリケーションであってもよく又は携帯電話１０に関する追加のタスクを実行するソフトウェア・アプリケーションの一部を形成してもよい。
【００４０】
あるいは、携帯電話１０は、メタデータ探索アプリケーション６５ａを含む、ゲームアプリケーション６５を含んでもよい。従って、メタデータ探索アプリケーションは携帯電話１０によって実行されてもよいアプリケーションプログラムの一部として具体化されてもよい。ゲームアプリケーション６５はそのゲームアプリケーション内で実行可能なコードとして具体化されるゲーム６５ｂも含んでもよい。ビデオゲームは（図２に示されるような）独立型アプリケーションであってもよく又は携帯電話内のメモリ４５に格納されてもよい。あるいは、ビデオゲームは携帯電話の外部のインターネット又は他の通信ネットワークを介してサーバからアクセスされ且つ再生されてもよい。
【００４１】
図３は一般的な音楽ファイル２０の関連部分を表す概略ブロック図である。音楽ファイル２０は一つの歌、歌の抜粋、又は多数の歌であってもよい。音楽ファイル２０は、それ自体が実質的な音楽と考えられてもよい音楽部分２２を含んでもよい。音楽部分２２はＭＩＤＩ、ＭＰ３、又は当業者に既知の他の形式等の様々なデジタル音楽形式の一つに符号化されてもよい。音楽ファイル２０はその音楽について様々な項目の情報を提供する、関連付けられたメタデータ領域２４を含んでもよい。描写された例において、メタデータは４つの例示的なメタデータ領域、すなわち歌のタイトル（２４ａ）、アーティスト（２４ｂ）、拍／分（ＢＰＭ）（２４ｃ）、及びジャンル（２４ｄ）、を含む。
【００４２】
メタデータ領域の番号及び性質の両方が変更されてもよいことが理解されるだろう。歌のタイトル及びアーティスト等の、メタデータのいくつかは変更可能ではなく音楽ファイルが創り出された際に設定されてもよい。さらに、当業者に既知の適切なプログラム又はアプリケーションを用いて、メタデータ領域はユーザによって定義されてもよい。ユーザは音楽と例えばパーティムード又はリラックスムード等の特定のムードとを関連付けるために「ムード」識別子をメタデータの一部として追加することを望んでもよい。ユーザは、歌の「嗜好」グループ化を創り出すためにメタデータを使用するように、カテゴリ識別子をメタデータの一部として追加することを望んでもよい。自動の及びユーザ定義のメタデータ領域の他の例が実行されてもよい。
【００４３】
多数の音楽ファイル２０はダウンロードされ且つ携帯電話１０内のメモリ４５に格納されてもよい。あるいは、以下で更に説明されるように、音楽ファイルは、記録ファイル又はライブ放送映像の何れかとして、通信ネットワーク上のサーバから携帯電話にストリーミング配信されてもよい。
【００４４】
携帯電話内のメディアプレーヤ６３はメモリに格納される又はネットワークを介してストリーム配信される音楽ファイルを再生するために使用されてもよい。音楽は再生され且つそれ自体で楽しまれるかもしれない、本発明の実施形態はユーザが音楽を選択して非音楽アプリケーションと組み合わせる又は非音楽アプリケーションに組み込まれるのを許可する。ユーザがカスタマイズされた音楽を非音楽アプリケーションに組み込むことを許可することによって、他のアプリケーションの楽しさがより一層のものとなる。
【００４５】
図４は本発明の実施形態に従って音楽を非音楽アプリケーションに組み込む例示的な方法を描写する。例示的な方法は機能論理工程を実行する特定の順序として説明されるが、その工程を実行する順序は説明される順序と比較して変更されてもよい。また、連続して説明される二つ以上の工程は同時に又は部分的に同時に実行されてもよい。すべてのそのような変形は本発明の範囲内であることが理解される。
【００４６】
例として、図４の方法は音楽を携帯電話１０上で再生可能なビデオゲームに組み込む工程に関連して説明されるだろう。ビデオゲームの例は本発明の範囲を限定することが意図されず、且つユーザ選択音楽を他の非音楽アプリケーションに組み込むために類似の方法が使用されてもよいことが理解されるだろう。さらに、同様の方法は例えば、パーソナル・デスクトップ型又はラップトップ型コンピュータ、ＰＤＡ、携帯ゲームデバイス、及び同様のもの等の、携帯電話以外の電子デバイスを用いて実行されてもよい。
【００４７】
方法はステップ１００で開始し、メタデータを含む多数の音楽ファイルが音楽ライブラリ又は音楽データベースとして記憶デバイスに格納されてもよい。本実施形態において、音楽ライブラリのための記憶デバイスは携帯電話のメモリ４５内の音楽データベース４５ａであると仮定する。
【００４８】
ステップ１１０において、デバイスアプリケーションのためのメタデータ探索基準が設定される。探索基準はデバイスアプリケーションの性質に基づいて適切な音楽とデバイスアプリケーションとを合致させるように構成される。適切な合致を探索するために、濫作基準は多数のメタデータ領域を組み込んでもよい。
【００４９】
図５は本発明に従って実行されてもよい例示的なゲームアプリケーション６５の概略図である。一実施形態において、メタデータ探索基準はゲームアプリケーション６５内に設定される。ゲームアプリケーション６５は実質的にゲームプログラムであるゲーム６５ｂを含んでもよい。ゲームは様々なゲームジャンルから一つ以上のゲームを含んでもよい。ゲームアプリケーション６５はメタデータたんさく基準を設定するメタデータ探索アプロケーション６５ａを含んでもよい。例えば、ビデオゲームはアクションレベルが高く且つほぼ連続的であるファーストパーソン・シューティングゲーム（ＦＰＳ）であってもよい。この種類のビデオゲームに組み込む適切な音楽はある閾値（図５では８０）以上の高い拍／分（ＢＰＭ）を有するハードロックジャンルの音楽を含んでもよい。一方、子供のゲームに組み込む適切な音楽はある閾値（図５では６０）以下の低ＢＰＭを有する子供のジャンルの音楽を含んでもよい。探索基準の他の例は、メタデータ探索基準が少なくとも１２０ＢＰＭを有するダンス音楽を含んでもよいペースの速い運転ゲーム、又はメタデータ探索基準が４０以下のＢＰＭを有するゴシック音楽を含んでもよいホラーゲームを含んでもよい。他のメタデータ探索基準を有する他のゲームカテゴリが実行されてもよいことが理解されるだろう。
【００５０】
メタデータ探索基準はゲームプログラムを開発する処理の一部としてゲーム開発者によって全体に又は部分的に設定されてもよい。本実施形態において、探索基準はゲームに不可欠である。あるいは又はさらに、ゲームプログラムによって促されようと又は別の方法で促されようと、ユーザは探索基準を携帯電話に入力することによって探索基準を設定してもよい。
【００５１】
図６はユーザが彼又は彼女自身のメタデータ探索基準を入力してもよい実施形態を描写する。ユーザは例えば、キーパッド１８（図１及び２を参照）又は携帯電話１０上の他の入力デバイスであってもよい入力デバイス６６を使用してメタデータ探索基準を入力してもよい。入力デバイス６６はインターフェース６７を介してゲームアプリケーション６５にリンクされている。図６の点線に示されるように、インターフェースはゲームアプリケーションそれ自体の一部として具体化されてもよく、又はインターフェースは携帯電話１０の一部としてゲームアプリケーションから分離していてもよい。
【００５２】
開発者及びユーザの探索基準は努力とユーザのカスタマイズとのバランスを提供するために組み合わされてもよい。例えば、ＦＰＳゲームに対してゲーム開発者はハードロックジャンル及び高ＢＰＭ等の、そのゲームジャンルのメタデータ探索基準をプログラムしてもよい。ユーザはその場合追加の探索基準を入力してカスタマイズを提供してもよい。例えば、ユーザは特定の嗜好リストの、又は特定のアーティストによる歌にメタデータ探索基準を狭くしてもよい。
【００５３】
図４を再参照すると、ステップ１２０において、メタデータ探索アプリケーションは探索基準に従って多数の音楽ファイルのメタデータを探索してもよい。上述したように、メタデータ探索アプリケーションは携帯電話１０に格納されるコード（アプリケーション４３）として具体化されてもよく、又はメタデータ探索アプリケーションはビデオゲームアプリケーション６５（アプリケーション６５ａ）等のデバイスアプリケーションプログラムに組み込まれてもよい。図５及び６はメタデータ探索アプリケーション６５ａがゲームアプリケーション６５の一部である例示的な実施形態を描写する。メタデータ探索アプリケーション６５ａはインターフェース６７を介して携帯電話に格納される音楽データベース４５ａにアクセスしてもよい。メタデータ探索アプリケーションは格納された音楽ファイルのメタデータを探索して探索基準と合致するメタデータを探索してもよい。
【００５４】
従って、図４の方法を再参照すると、ステップ１３０において格納された音楽ファイルのメタデータはビデオゲームの再生スタイルに適切な合致する音楽を識別する探索基準と比較されてもよい。メタデータ探索アプリケーション６５ａは音楽ライブラリが尽きるまで音楽ファイルのメタデータを継続して探索してもよい。探索は探索基準に合致する一つ以上の音楽ファイルを識別してもよい。ステップ１４０において、それ故、合致する音楽ファイルから少なくとも一つの音楽ファイルが選択されてアプリケーションに組み込まれてもよい。合致する音楽はゲームアプリケーションによって自動的に選択されてもよく、又は入力デバイス６６を用いてユーザによって選択されてもよい。アプリケーションの長さに依存して、ゲームアプリケーション及び／又はユーザは多数の音楽ファイルを選択して連続して再生してもよく、又は必要に応じて繰り返す一つ以上の音楽ファイルを選択してもよい。ステップ１５０において、アプリケーションが実行される際に、選択された音楽はインターフェース６７を介して音楽データベースからアクセスされ、且つゲームアプリケーション６５に組み込まれる。言い換えれば、ユーザがビデオゲームを再生している間、選択された音楽は再生されてもよい。
【００５５】
一般に、デバイスアプリケーションは一つ以上の構成要素に分割されてもよい。例えば、ビデオゲームはレベル、チャプター、又は同等の構成要素セクションに分割されてもよい。様々な構成要素のゲーム再生はペース、ムード、及び他のゲーム再生特徴の点で異なってもよい。例えば、いくつかの構成要素は早いペースのアクションに支配されるゲーム再生を実行してもよく、一方他の構成要素はパズル解決専門のゲーム再生又はより遅いペースの再生を実行してもよい。一実施形態において、図４の方法はレベル、チャプター、又はビデオゲームの構成要素（又は他のアプリケーション）のそれぞれに関して個別に実行されてもよい。音楽は開始時にゲーム全体に対して選択されてもよく、又は所与の構成要素がそのゲームに及ぶように各構成要素に対してユーザは音楽を選択するように促されてもよい。このようにして、ユーザは音楽をカスタマイズして各構成要素に対して適切な音楽を提供してもよい。
【００５６】
ユーザはゲームが再生される度に異なる音楽に変更又は異なる音楽を選択してもよく、又はゲームの間に音楽の選択を変更してもよい。それ故、ユーザはユーザの好みが変化する時に、エンターテイナーが新しい音楽を創り出すように音楽を更新して又は別の方法で多数のユーザの好みを調整してもよい。
【００５７】
上述したいくつかの実施形態において、音楽ライブラリ及びメタデータ探索アプリケーションは携帯電話１０内に含まれていた。あるいは、システムの一つ以上の構成要素は通信ネットワークの一部として携帯電話の外部に配置されてもよい。
【００５８】
図７を参照すると、携帯電話１０は通信システム６８の一部として動作するように構成されてもよい。システム６８は、携帯電話１０への着呼及び携帯電話１０からの発呼を管理して、データを携帯電話１０に伝達して、且つあらゆる他のサポート機能を実行する、サーバ７２（又は複数のサーバ）を有する通信ネットワーク７０を含んでもよい。サーバ７２は伝送媒体を介して携帯電話１０と通信する。伝送媒体は、例えば、通信タワー（例えば、携帯電話の基地局）、別の携帯電話、無縁アクセスポイント、衛星、等を含む、あらゆる適切なデバイス又はアセンブリであってもよい。ネットワークの一部は無線伝送路を含んでもよい。ネットワーク７０は多数の携帯電話１０及び他の種類のエンドユーザ・デバイスの通信動作をサポートしてもよい。理解されるように、サーバ７２はサーバ機能を実行するために使用される一般的なコンピュータシステムとして構成されてもよく且つサーバ７２の機能を具体化する論理命令を含むソフトウェアを実行するように構成されるプロセッサ及びそのようなソフトウェアを格納するメモリを含んでもよい。
【００５９】
通信ネットワーク７０は本発明の実施形態に従った使用のための音楽選択サーバ７５も含んでもよい。図８は例示的な音楽選択サーバ７５の構成要素の機能ブロック図を表す。音楽選択サーバは多数の音楽ファイルを格納する音楽データベース７６を含んでもよい。前実施形態と同様に、音楽データベース７６に格納される音楽ファイルは上述したように関連付けられたメタデータを含む。音楽選択サーバはサーバの様々な機能を実行し且つ調整するコントローラ７９も含んでもよい。音楽選択サーバ７５はメタデータ探索アプリケーション７７も含んでもよい。
【００６０】
音楽選択サーバ７５（及びその構成である攻勢要素）は携帯電話１０の同様の構成要素と独立して又は共に動作してもよい。独立して動作する場合は、音楽選択サーバは基本的に図４の方法を実行して音楽を非音楽デバイスアプリケーションに組み込んでもよい。ステップ１００において、音楽ファイルは音楽データベース７６に格納されてもよい。音楽データベースは特に本発明を伴う使用のために創り出されるデータベースであってもよく、又は音楽データベースは音楽をダウンロードし又はストリーミング配信するあらゆる商業サービスであってもよい。ステップ１１０において、前実施形態と同様にメタデータ探索基準はユーザ及び／又はデバイスアプリケーションによって設定される。ステップ１２０において、メタデータ探索アプリケーション７７は格納された音楽ファイルのメタデータを探索して探索基準に合致するメタデータを探索してもよい。ステップ１３０において一度合致する音楽ファイルが見つけられると、ステップ１４０において一つ以上の合致する音楽ファイルが選択されて非音楽アプリケーションに組み込まれてもよい。ステップ１５０において、選択された音楽はアプリケーションが実行される間再生されてもよい。
【００６１】
音楽ネットワーク７０上の音楽データベース７６に音楽が格納される場合、その音楽は様々な手段によってデバイスアプリケーションに組み込まれてもよい。例えば、音楽ファイルは携帯電話にダウンロードされ且つメモリ４５に格納されてもよい。デバイスアプリケーションはその場合メディアプレーヤ６３を使用して又は他の方法で、格納された音楽にアクセスしてもよい。あるいは、音楽選択サーバ７５内の音楽ストリーマ７８はデバイスアプリケーションが実行される際に音楽ファイルを携帯電話にストリーム配信してもよい。
【００６２】
図９は本発明の実施形態に従って音楽を非音楽アプリケーションに組み込む別の例示的な方法を描写する。図９の方法は音楽選択サーバ７５及び携帯電話１０の構成要素を実行して音楽を非音楽アプリケーションに組み込む。例示的な方法は機能論理工程を実行する特定の順序として説明されるが、工程を実行する順序は説明された順序と比較して変更されてもよい。また、連続して説明される二つ以上の工程は同時に又は部分的に同時に実行されてもよい。全てのそのような変更は本発明の範囲内にあることが理解される。
【００６３】
ステップ２００において、音楽ファイルは携帯電話１０のメモリ４５等の、ユーザの電子デバイス内の第１の記憶デバイスに格納されてもよい。ステップ２１０において、音楽選択サーバ７５の音楽データベース７６等の、第２の、ネットワーク記憶デバイス上に追加の音楽ファイルが格納されてもよい。ステップ２２０において、前実施形態と同様にメタデータ探索基準がユーザ及び／又はデバイスアプリケーションによって設定される。携帯電話１０に格納される音楽ファイルはその場合メタデータ探索アプリケーションによって探索されてもよい。メタデータ探索アプリケーションはアプリケーション４３として携帯電話に常駐してもよく、アプリケーション７７としてネットワーク上に常駐してもよく、又はアプリケーション６５ａとして（ビデオゲーム等の）デバイスアプリケーションプログラム内に組み込まれてもよい。
【００６４】
ステップ２４０において、携帯電話内に格納される音楽ファイルのメタデータは探索基準と比較されてデバイスアプリケーションに適切な合致する音楽を識別してもよい。探索基準が携帯電話内の第１の記憶デバイスに格納される一つ以上の音楽ファイルのメタデータと合致するなら、その場合方法は図４の方法と同様に進んでもよい。ステップ２８０において、ビデオゲーム等の、デバイスアプリケーションに組み込むための合致する音楽ファイルから一つ以上の音楽ファイルが選択されてもよい。ステップ２９０において、デバイスアプリケーションが実行される間その選択された音楽ファイルは再生されてもよい。
【００６５】
ステップ２４０において、探索基準が携帯電話に格納されるあらゆる音楽ファイルのメタデータと合致しないなら、その場合方法はステップ２５０に進んでもよい。ネットワーク上の第２の記憶デバイスに格納される音楽ファイルのメタデータの探索が実行されてもよい。ステップ２６０において、メタデータは探索基準と比較されてネットワーク記憶デバイス上に格納されるデバイスアプリケーションに適切な合致する音楽を識別してもよい。一度メタデータが探索基準と合致する一つ以上のネットワーク音楽ファイルが識別されると、ステップ２７０においてシステムは合致する音楽ファイルをユーザに提供してもよい。音楽の提供は音楽ダウンロード提供形式又はストリーミング音楽提供形式であってもよい。ステップ２８０において、ユーザは一つ以上の合致する音楽ファイルを選択してもよく、その場合音楽ファイルはステップ２９０においてデバイスアプリケーションに組み込まれてもよい。
【００６６】
一実施形態において、本発明のシステムは音楽を非音楽アプリケーションに組み込む購読サービスを構成してもよい。例えば、ユーザはダウンロードされた各音楽ファイルに対して料金を支払ってもよい。音楽ファイルは、当業者に既知であるように、著作権違反の機会を低減し且つ関連デバイスアプリケーションによってのみ再生されることを保証するための、従来のデジタル権利管理（ＤＲＭ）特徴によって保護されてもよい。ユーザはサービスへの無制限なアクセスのために、月額等の、購読料を支払ってもよい。音楽がストリーミング配信されるなら、ユーザは、分ごと等の、使用時間につき料金を支払ってもよい。
【００６７】
携帯電話及び他の携帯電子デバイス等の、ある電子デバイスでの記憶スペースはそれらの小さなサイズのために制限されるかもしれない。一代替実施形態において、記憶スペースを節約するために、メタデータ２４のみがメモリに格納され、且つ音楽ファイルの実質的な音楽部分２２（図３参照）はメモリに格納されない。メタデータ探索が合致するメタデータを検索する際に、ユーザは、上述したＣＤＤＢ又はグレース・ノート（GraceNotes）等の、特定のメタデータを対応する音楽にリンクさせるネットワーク上のサービスを対象としてもよい。合致する音楽はその場合非音楽アプリケーションに組み込むためのネットワークからダウンロードされ又はストリーミング配信されてもよい。
【００６８】
図２を再参照して、携帯電話１０の追加の特徴が説明されるだろう。簡単化のために、一般的な携帯電話１０の従来の特徴はここでは詳細には説明されないだろう。携帯電話１０は携帯電話１０が発呼を確立すること、及び／又は、着呼装置及び／又は発呼装置、一般的に別の携帯電話又は固定電話、又は別の電子デバイスと信号を交換することを可能にさせる発呼回路を含む。携帯電話１０は構成されてもよい。携帯電話１０は（例えば、ショート・メッセージ・サービスを表す「ＳＭＳ」とも口語的に称される）テキストメッセージ、電子メールメッセージ、（例えば、マルチメディア・メッセージ・サービスを表す「ＭＭＳ」とも口語的に称される）マルチメディア・メッセージ、画像ファイル、ビデオファイル、オーディオファイル、着信音、ストリーミング・オーディオ、（ポッドキャストを含む）データ映像等の、データを送信、受信、及び／又は処理するように構成されてもよい。そのようなデータを処理する工程はデータをメモリ４５に格納する工程と、ユーザにデータとの情報のやり取りを許可するアプリケーションを実行する工程と、データと関連付けられたビデオ及び／又は画像コンテンツを表示する工程と、データと関連付けられたオーディオ音を出力する工程と、等を含んでもよい。
【００６９】
携帯電話１０は携帯電話１０の機能及び動作の全体的な制御を実行するように構成される一次制御回路４１を含んでもよい。制御回路４１はＣＰＵ、マイクロコントローラ、又はマイクロプロセッサ等の、処理デバイス４２を含んでもよい。それらの機能の間、本発明の特徴を実行するために、制御回路４１及び／又は処理デバイス４２はメタデータ探索アプリケーション４３として具体化されるプログラムコードを実行してもよいコントローラを備えてもよい。コンピュータプログラミング、及び特にカメラ、携帯電話、又は他の電子デバイスのアプリケーションプログラム、の当業者にとって携帯電話が動作して且つアプリケーション４３に関連付けられた論理機能を実行するようにプログラムする方法は明らかであろう。従って、特定のプログラミングコードに関する詳細は簡単化のため省略されている。また、例示的な実施形態に従ってコードが制御回路４１によって実行される間、本発明の範囲を逸脱することなく、そのようなコントローラ機能は専用のハードウェア、ファームウェア、ソフトウェア又はこれらの組み合わせによって実行されてもよい。
【００７０】
携帯電話１０は折り畳み式携帯電話が開位置である時に可視であるディスプレイ１４を有する。ディスプレイ１４は携帯電話１０の様々な特徴及び動作状態に関する情報をユーザに表示し、且つ携帯電話１０によって受信される及び／又はメモリ４５から読み出されるビジュアルコンテンツを表示する。また、ディスプレイ１４はカメラアセンブリ６２のための電子ファインダとして使用されてもよい。
【００７１】
キーパッド１８は様々なユーザの入力動作を提供する。例えば、キーパッド１８は電話番号、電話帳、連絡先、メモ等の英数字情報の入力を許可する一般的に英数字のキーを含む。さらに、キーパッド１８は一般に通話を開始する又は応答するための「送信」キー、及び他のもの等の特殊ファンクションキー１７を含む。キーのいくつか又は全てはディスプレイと併せてソフトキーとして使用されてもよい。キー又はキーと同様の機能はディスプレイ１４に関連付けられたタッチスクリーンとして具体化されてもよい。
【００７２】
携帯電話１０は無線回路４６と連結しているアンテナ４４を含んでもよい。無線回路４６は従来と同様にアンテナ４４によって信号を送信し且つ受信する無線送受信機を含む。携帯電話１０は無線回路４６によって送信され且つ無線回路４６から受信されるオーディオ信号を処理する音声信号処理回路４８を更に含む。音声処理回路４８は従来と同様にユーザが携帯電話１０を介して聴き且つ話すことを可能にするスピーカ５０及びマイクロフォン５２と連結している。
【００７３】
ディスプレイ１４はビデオデータを様々なディスプレイを駆動するために使用されるビデオ信号に変換するビデオ処理回路５４によって制御回路４１と連結されてもよい。ビデオ処理回路５４はあらゆる適切なバッファ、デコーダ、ビデオデータプロセッサ等を含んでもよい。ビデオデータは、制御回路４１によって発生させられてもよく、メモリ４５に格納されるビデオファイルから取得されてもよく、無線回路４８によって受信される流入ビデオデータストリームから取得されてもよく、又はあらゆる他の適当な方法によって獲得されてもよい。
【００７４】
携帯電話１０は赤外線送受信機及び／又は無線周波数アダプタ（例えば、ブルートゥースアダプタ）等の、付属品、別の携帯無線端末、コンピュータ又は別のデバイスとの通信を確立するローカル無線インターフェース６６も含んでもよい。例えば、ローカル無線インターフェース６６はヘッドセットアセンブリが対応無線インターフェースを有する実施形態において携帯電話１０とヘッドセットアセンブリ（例えば、ＰＨＦデバイス）とを動作可能に連結させてもよい。
【００７５】
携帯電話１０は従来の様々な入力／出力デバイスとの接続を許可する入力／出力インターフェース５６も含んでもよい。そのような一つのデバイスは内部電源供給ユニット（ＰＳＵ）５８を充電するために使用され得る電源充電器である。
【００７６】
本発明はある好ましい実施形態に関して示され且つ説明されているが、本明細書を読み且つ理解することによって他の当業者に均等物及び変更が思い至るであろうことが理解される。本発明は全てのそのような均等物及び変更を含み、且つ以下の請求項の範囲によってのみ限定される。
【図１】
2010537229.tif 000003
【図２】
2010537229.tif 000004
【図３】
2010537229.tif 000005
【図４】
2010537229.tif 000006
【図５】
2010537229.tif 000007
【図６】
2010537229.tif 000008
【図７】
2010537229.tif 000009
【図８】
2010537229.tif 000010
【図９】
2010537229.tif 000011
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
電子デバイスでの使用のために音楽を選択するシステムであって、
前記電子デバイス（１０）内のメディアプレーヤ（６３）と、
第１の多数の音楽ファイル（２０）を格納する、前記電子デバイス内に配置される第１の記憶デバイス（４５、４５ａ）と、
第２の多数の音楽ファイル（２０）を格納する、前記電子デバイス（１０）の外部に配置される第２の記憶デバイス（７６）と、
前記電子デバイス（１０）によってアプリケーション（６５）を実行するコントローラ（４１、４２、７９）と、を備え、
前記音楽ファイルのそれぞれは当該音楽ファイルと関連付けられたメタデータ（２４）を有し、
前記コントローラは、前記アプリケーション（６５）の実行中に再生する音楽を選択するための探索基準と合致するメタデータを求めて、前記第１の記憶デバイスの前記音楽ファイル（２０）の前記メタデータ（２４）を探索するように構成され、
前記探索基準と合致する音楽ファイル（２０）が前記第１の記憶デバイス（４５、４５ａ）から識別されない場合に、前記コントローラは、前記アプリケーション（６５）の実行中に再生する音楽を選択するための探索基準と合致するメタデータを求めて、前記第２の記憶デバイスの前記音楽ファイル（２０）の前記メタデータ（２４）を探索するように構成され、
前記コントローラ（４１、４２、７９）は、前記アプリケーション（６５）の実行中に、前記関連付けられたメタデータ（２４）が前記探索基準と合致する少なくとも一つの音楽ファイル（２０）を前記メディアプレーヤ（６３）に再生させるようにさらに構成されることを特徴とするシステム。
【請求項２】
前記コントローラ（４１、４２）が前記電子デバイス（１０）内にあることを特徴とする請求項１に記載のシステム。
【請求項３】
前記デバイスアプリケーション（６５）がビデオゲーム（６５）であることを特徴とする請求項１又は２に記載のシステム。
【請求項４】
前記電子デバイス（１０）が携帯電話であることを特徴とする請求項１乃至３の何れか１項に記載のシステム。
【請求項５】
電子デバイス（１０）のアプリケーション（６５）で音楽を使用する方法であって、
第１の記憶デバイス（４５、４５ａ）に第１の多数の音楽ファイル（２０）、前記音楽ファイルのそれぞれは当該音楽ファイルと関連付けられた音楽メタデータ（２４）を有する、を格納する工程と、
第２の記憶デバイス（７６）に第２の多数の音楽ファイル（２０）、前記音楽ファイルのそれぞれは当該音楽ファイルと関連付けられた音楽メタデータ（２４）を有する、を格納する工程と、
前記アプリケーション（６５）の実行中に再生する音楽を選択するための、前記音楽メタデータ（２４）を探索する探索基準を設定する工程と、
前記関連付けられた音楽メタデータが前記探索基準と合致する少なくとも一つの音楽ファイルを選択するために、前記第１の記憶デバイスの前記音楽ファイル（２０）の前記音楽メタデータ（２４）を探索する工程と、
前記探索基準と合致する音楽ファイルが前記第１の記憶デバイスから選択されない場合に、前記関連付けられた音楽メタデータ（２４）が前記探索基準と合致する少なくとも一つの音楽ファイルを選択するために、前記第２の記憶デバイス（７６）の前記第２の多数の音楽ファイル（２０）を探索する工程と、
前記アプリケーション（６５）を実行する工程と、を有し、
前記関連付けられた音楽メタデータ（２４）が前記探索基準と合致する音楽ファイル（２０）が前記アプリケーションの実行中に再生されることを特徴とする方法。
【請求項６】
前記少なくとも一つの合致する音楽ファイル（２０）を前記第２の記憶デバイス（７６）から前記電子デバイス（１０）にダウンロードする工程を更に有することを特徴とする請求項５に記載の方法。
【請求項７】
前記音楽メタデータ（２４）を探索する前記探索基準が歌のタイトル、アーティスト、拍／分、ジャンル、又はムードの少なくとも一つを含むことを特徴とする請求項５又は６に記載の方法。
【請求項８】
電子デバイス（１０）によって実行されるゲームアプリケーション（６５）に関連して音楽を使用する方法であって、
前記ゲームアプリケーションとは独立した多数の音楽ファイル（２０）、前記音楽ファイルのそれぞれは当該音楽ファイルと関連付けられた音楽メタデータ（２４）を有する、を記憶デバイス（４５、４５ａ、７６）に格納する工程と、
前記ゲームアプリケーション（６５）の実行中に再生する音楽を選択するために、前記音楽メタデータ（２４）を探索する探索基準を設定する工程と、
前記探索基準は音楽のスタイルがゲームプレイのスタイルと合致する音楽を識別するために設定され、
前記関連付けられた音楽メタデータが前記探索基準と合致する少なくとも一つの音楽ファイルを選択するために、前記多数の音楽ファイル（２０）の前記音楽メタデータ（２４）を探索する工程と、
前記ゲームアプリケーションを実行する工程と、を有し、
前記関連付けられた音楽メタデータ（２４）が前記探索基準と合致する音楽ファイル（２０）が前記ゲームのプレイ中に再生されることを特徴とする方法。
【請求項９】
前記音楽メタデータ（２４）を探索するための前記探索基準が歌のタイトル、アーティスト、拍／分、ジャンル、又はムードの少なくとも一つを含むことを特徴とする請求項８に記載の方法。
【請求項１０】
前記ゲームアプリケーションは多数のゲーム構成要素を含み、且つ前記方法は前記多数のゲーム構成要素のそれぞれに関して実行されることを特徴とする請求項８又は９に記載の方法。
【国際調査報告】
2010537229.tif 000012
2010537229.tif 000013
2010537229.tif 000014